【手続補正書】
【提出日】平成19年9月13日(2007.9.13)
【手続補正１】
【補正対象書類名】特許請求の範囲
【補正対象項目名】全文
【補正方法】変更
【補正の内容】
【特許請求の範囲】
【請求項１】
赤色光、緑色光、青色光を波長選択透過する３原色フィルタからなるカラーフィルタを備えた透過型のカラー液晶表示パネルと、上記カラー液晶表示パネルを背面側から白色光で照明するバックライト装置を備えるカラー液晶表示装置であって、
上記バックライト装置は、３波長以上の光を発光する３波長蛍光ランプからなる主白色光源と、ピーク波長λｐｒがλｐｒ＝６４５ｎｍである赤色光を発光する赤色発光ダイオード、ピーク波長λｐｇがλｐｇ＝５５５ｎｍである緑色光を発光する緑色発光ダイオード及びピーク波長λｐｂがλｐｂ＝４４０ｎｍである青色光を発光する青色発光ダイオードを少なくとも１種類以上含む補助光源とからなる光源と、
上記光源から発光された光を混色して上記白色光とする混色手段とを有すること
を特徴とするカラー液晶表示装置。
【請求項２】
上記カラーフィルタは、透過波長帯域のピーク波長Ｆｐｒが６８５ｎｍ≦Ｆｐｒ≦６９０ｎｍであり、青色フィルタの透過波長帯域における当該赤色フィルタの透過率をゼロとした赤色フィルタと、
透過波長帯域のピーク波長Ｆｐｇが５３０ｎｍであり、青色フィルタの透過波長帯域における当該緑色フィルタの透過率を減少させることで、上記透過波長帯域の半値幅Ｆｈｗｇを９０ｎｍ≦Ｆｈｗｇ≦１００ｎｍとした緑色フィルタと、
透過波長帯域のピーク波長Ｆｐｂを４４０ｎｍ≦Ｆｐｂ≦４６０ｎｍとした青色フィルタとを有すること
を特徴とする請求項１記載のカラー液晶表示装置。
【請求項３】
上記補助光源の発光強度は、上記主白色光源の発光強度の略２０％であること
を特徴とする請求項１記載のカラー液晶表示装置。
【請求項４】
透過型のカラー液晶表示パネルと、上記カラー液晶表示パネルを背面側から白色光で照明するバックライト装置を備えるカラー液晶表示装置であって、
上記バックライト装置は、
複数の蛍光ランプを有し、３波長以上の光を発光する主光源と、
上記主光源における対応波長よりも長波長側にピーク波長を有する光を発光する発光ダイオードを少なくとも１つ有する補助光源と、
上記主光源及び上記補助光源から発光された光を混色して上記白色光とする混色手段とを備えること
を特徴とするカラー液晶表示装置。
【請求項５】
透過型のカラー液晶表示パネルと、上記カラー液晶表示パネルを背面側から白色光で照明するバックライト装置を備えるカラー液晶表示装置であって、
上記バックライト装置は、
複数の蛍光ランプを有し、３波長以上の光を発光する主光源と、
上記主光源における対応波長とそのサブピーク波長との間に存在するスペクトル成分よりも短波長側にピーク波長を有する光を発光する発光ダイオードを少なくとも１つ有する補助光源と、
上記主光源及び上記補助光源から発光された光を混色して上記白色光とする混色手段とを備えること
を特徴とするカラー液晶表示装置。
【請求項６】
上記主光源が有する複数の蛍光ランプは、赤色光、緑色光及び青色光を発光し、上記補助光源は、上記赤色光のスペクトルよりも長波長側にピーク波長を有する光を発光する赤色発光ダイオードを有することを特徴とする請求項４又は５に記載のカラー液晶表示装置。
【請求項７】
上記主光源が有する複数の蛍光ランプは、赤色光、緑色光及び青色光を発光し、上記補助光源は、上記青色光のピーク波長と当該青色光のサブピーク波長との間に存在するスペクトル成分よりも短波長側にピーク波長を有する光を発光する青色発光ダイオードを有することを特徴とする請求項４又は５に記載のカラー液晶表示装置。
【請求項８】
上記主光源が有する複数の蛍光ランプは、赤色光、緑色光及び青色光を発光し、上記補助光源は、上記緑色光のスペクトルよりも長波長側にピーク波長を有する光を発光する緑色発光ダイオードを有することを特徴とする請求項４又は５に記載のカラー液晶表示装置。
【請求項９】
白色光を発光するバックライト装置であって、
複数の蛍光ランプを有し、３波長以上の光を発光する主光源と、
上記主光源における対応波長よりも長波長側にピーク波長を有する光を発光する発光ダイオードを少なくとも１つ有する補助光源と、
上記主光源及び上記補助光源から発光された光を混色して上記白色光とする混色手段とを備えること
を特徴とするバックライト装置。
【請求項１０】
白色光を発光するバックライト装置であって、
複数の蛍光ランプを有し、３波長以上の光を発光する主光源と、
上記主光源における対応波長とそのサブピーク波長との間に存在するスペクトル成分よりも短波長側にピーク波長を有する光を発光する発光ダイオードを少なくとも１つ有する補助光源と、
上記主光源及び上記補助光源から発光された光を混色して上記白色光とする混色手段とを備えること
を特徴とするバックライト装置。
【請求項１１】
上記主光源が有する複数の蛍光ランプは、赤色光、緑色光及び青色光を発光し、上記補助光源は、上記赤色光のスペクトルよりも長波長側にピーク波長を有する光を発光する赤色発光ダイオードを有することを特徴とする請求項９又は１０に記載のバックライト装置。
【請求項１２】
上記主光源が有する複数の蛍光ランプは、赤色光、緑色光及び青色光を発光し、上記補助光源は、上記青色光のピーク波長と当該青色光のサブピーク波長との間に存在するスペクトル成分よりも短波長側にピーク波長を有する光を発光する青色発光ダイオードを有することを特徴とする請求項９又は１０に記載のバックライト装置。
【請求項１３】
上記主光源が有する複数の蛍光ランプは、赤色光、緑色光及び青色光を発光し、上記補助光源は、上記緑色光のスペクトルよりも長波長側にピーク波長を有する光を発光する緑色発光ダイオードを有することを特徴とする請求項９又は１０に記載のバックライト装置。
【手続補正２】
【補正対象書類名】明細書
【補正対象項目名】発明の名称
【補正方法】変更
【補正の内容】
【発明の名称】カラー液晶表示装置及びバックライト装置
【手続補正３】
【補正対象書類名】明細書
【補正対象項目名】０００１
【補正方法】変更
【補正の内容】
【０００１】
本発明は、カラー液晶表示装置（ＬＣＤ：Liquid Crystal Display）に関し、特に色域を広げ、より忠実な色再現性を確保するようにしたカラー液晶表示装置及びバックライト装置に関する。
【手続補正４】
【補正対象書類名】明細書
【補正対象項目名】００１７
【補正方法】変更
【補正の内容】
【００１７】
上述の目的を達成するために、本発明に係るカラー液晶表示装置は、赤色光、緑色光、青色光を波長選択透過する３原色フィルタからなるカラーフィルタを備えた透過型のカラー液晶表示パネルと、上記カラー液晶表示パネルを背面側から白色光で照明するバックライト装置を備えるカラー液晶表示装置であって、上記バックライト装置は、３波長以上の光を発光する３波長蛍光ランプからなる主白色光源と、ピーク波長λｐｒがλｐｒ＝６４５ｎｍである赤色光を発光する赤色発光ダイオード、ピーク波長λｐｇがλｐｇ＝５５５ｎｍである緑色光を発光する緑色発光ダイオード及びピーク波長λｐｂがλｐｂ＝４４０ｎｍである青色光を発光する青色発光ダイオードを少なくとも１種類以上含む補助光源とからなる光源と、上記光源から発光された光を混色して上記白色光とする混色手段とを有することを特徴とする。
また、上述の目的を達成するために、本発明に係るカラー液晶表示装置は、透過型のカラー液晶表示パネルと、上記カラー液晶表示パネルを背面側から白色光で照明するバックライト装置を備えるカラー液晶表示装置であって、上記バックライト装置は、複数の蛍光ランプを有し、３波長以上の光を発光する主光源と、上記主光源における対応波長よりも長波長側にピーク波長を有する光を発光する発光ダイオードを少なくとも１つ有する補助光源と、上記主光源及び上記補助光源から発光された光を混色して上記白色光とする混色手段とを備えることを特徴とする。
また、上述の目的を達成するために、本発明に係るカラー液晶表示装置は、透過型のカラー液晶表示パネルと、上記カラー液晶表示パネルを背面側から白色光で照明するバックライト装置を備えるカラー液晶表示装置であって、上記バックライト装置は、複数の蛍光ランプを有し、３波長以上の光を発光する主光源と、上記主光源における対応波長とそのサブピーク波長との間に存在するスペクトル成分よりも短波長側にピーク波長を有する光を発光する発光ダイオードを少なくとも１つ有する補助光源と、上記主光源及び上記補助光源から発光された光を混色して上記白色光とする混色手段とを備えることを特徴とする。
また、上述の目的を達成するために、本発明に係るバックライト装置は、白色光を発光するバックライト装置であって、複数の蛍光ランプを有し、３波長以上の光を発光する主光源と、上記主光源における対応波長よりも長波長側にピーク波長を有する光を発光する発光ダイオードを少なくとも１つ有する補助光源と、上記主光源及び上記補助光源から発光された光を混色して上記白色光とする混色手段とを備えることを特徴とする。
また、上述の目的を達成するために、本発明に係るバックライト装置は、白色光を発光するバックライト装置であって、複数の蛍光ランプを有し、３波長以上の光を発光する主光源と、上記主光源における対応波長とそのサブピーク波長との間に存在するスペクトル成分よりも短波長側にピーク波長を有する光を発光する発光ダイオードを少なくとも１つ有する補助光源と、上記主光源及び上記補助光源から発光された光を混色して上記白色光とする混色手段とを備えることを特徴とする。